(57)【要約】【課題】携帯端末の表示器に表示された情報コードを読み取り、当該情報コードの照合結果に基づいて電気錠を制御するシステムにおいて、情報コードの読取精度を低下させることなく、複製による悪用を効果的に防止することが可能な構成を提供する。【解決手段】携帯端末１０側では、認証情報が記録された情報コードを複数の分割情報コードに分割して表示装置１３に表示し、読取装置２０側では、それら複数の分割情報コードを合成するとともに、合成した情報コードを読み取った結果に基づき電気錠を解錠状態とするようにしている。このため、分割情報コード単体では、電気錠を解錠することができないため、複製による悪用を効果的に防止することができる。また、表示装置１３に表示される分割情報コードには、特殊な機能を持たせる必要もないため、当該情報コードの読取精度の低下を抑えることができる。【選択図】図６
2014202031.tif 000002
【特許請求の範囲】
【請求項１】
情報コードを表示可能な表示器を備えた携帯端末と、前記携帯端末で表示された前記情報コードを読取可能な読取システムと、を備えた電気錠制御システムであって、
前記携帯端末は、
認証情報を記憶又は生成する認証情報準備部と、
前記認証情報準備部で準備された前記認証情報を記録してなる前記情報コードを複数の分割情報コードに分割するための分割方式を特定する分割方式特定情報を登録する分割方式登録部と、
前記情報コードを前記分割方式登録部の前記分割方式特定情報に基づいて分割し、複数の前記分割情報コードを生成する分割情報コード生成部と、
複数の分割情報コードを前記表示器に表示する表示制御部と、
を備え、
前記読取システムは、
前記携帯端末の前記表示器で表示された複数の前記分割情報コードを撮像することで複数の前記分割情報コードの各コード画像を生成する１又は複数の撮像部と、
複数の前記分割情報コードを合成するための合成方式を特定する合成方式特定情報を登録する合成方式登録部と、
１又は複数の前記撮像部によって撮像された複数の前記分割情報コードを、前記合成方式登録部に登録された前記合成方式特定情報に基づいて合成し、前記情報コードを生成する分割情報コード合成部と、
前記分割情報コード合成部によって複数の前記分割情報コードが合成されることで生成された前記情報コードを読み取る読取部と、
前記読取部による前記情報コードの読み取り結果が、所定の正規条件を満たす場合に前記電気錠を解錠状態とする電気錠制御部と、
を備えたことを特徴とする電気錠制御システム。
【請求項２】
前記情報コードは、複数種類のセルが配列されてなるものであり、
前記分割方式特定情報は、前記情報コードの各種類のセルを、複数の前記分割情報コードのそれぞれにおいて、いずれの種類のセルに変換するかを定める生成側変換テーブルを備え、
前記分割情報コード生成部は、前記生成側変換テーブルに基づき、前記情報コードにおける各位置のセルの種類から、複数の前記分割コードにおける前記各位置に対応する対応位置のセルの種類を特定するように、複数の前記分割コードを生成し、
前記合成方式登録部には、前記生成側変換テーブルによって特定される、前記情報コードの各種類のセルと、複数の前記分割情報コードのそれぞれで選択されるセル種類の組み合わせとの対応関係を特定する合成側変換テーブルが前記合成方式特定情報として登録されていることを特徴とする請求項１に記載の電気錠制御システム。
【請求項３】
前記分割方式登録部には、複数の前記生成側変換テーブルが登録されており、
前記合成方式登録部には、複数の前記合成側変換テーブルが登録されており、
前記携帯端末は、
前記分割方式登録部に登録された複数の前記生成側変換テーブルからいずれかの生成側変換テーブルを選択する選択手段と、
前記選択手段にて選択された生成側変換テーブルを特定する特定情報を前記読取システム側へ出力する特定情報出力手段と、
を備え、
前記分割情報コード生成部は、前記選択手段にて選択された生成側変換テーブルに基づいて複数の前記分割情報コードを生成し、
前記読取システムは、
前記特定情報出力手段により出力された前記特定情報を取得する特定情報取得手段と、
前記特定情報取得手段にて取得された前記特定情報に基づき、前記選択手段にて選択された生成側変換テーブルと対応する合成側変換テーブルを、前記合成方式登録部に登録された複数の前記合成側変換テーブルから決定する決定手段と、
を備え、
前記分割情報コード合成部は、前記決定手段により決定された合成側変換テーブルに基づいて前記分割情報コードを合成し、前記情報コードを生成することを特徴とする請求項２に記載の電気錠制御システム。
【請求項４】
前記携帯端末は、
所定の配列で配置された複数の入力キーから構成され、前記特定情報を入力可能な入力手段と、
前記複数の入力キーから入力される入力信号をプッシュ音信号に変換するプッシュ音信号変換手段と、
を備え、
前記特定情報出力手段は、前記プッシュ音信号変換手段にて変換された前記特定情報の前記プッシュ音信号を出力することを特徴とする請求項３に記載の電気錠制御システム。
【請求項５】
前記携帯端末は、
前記複数の入力キーから入力される前記入力信号と前記プッシュ音信号とを対応付ける音テーブルを登録する音テーブル登録部と、
日付情報及び時刻情報の少なくともいずれかを含んでなる日時情報を発生させる計時手段と、
前記計時手段から発生された前記日時情報に基づいて前記音テーブルを変更する音テーブル変更手段と、
を備え、
前記プッシュ音信号変換手段は、前記音テーブル変更手段により変更された前記音テーブルに基づき、前記複数の入力キーから入力される入力信号をプッシュ音信号に変換し、
前記読取システムは、
前記音テーブル変更手段で変更された前記音テーブルを特定する音テーブル特定手段を備え、
前記決定手段は、前記音テーブル特定手段にて特定された前記音テーブルと前記特定情報取得手段にて取得された前記特定情報に基づき、前記選択手段にて選択された生成側変換テーブルと対応する合成側変換テーブルを、前記合成方式登録部に登録された複数の前記合成側変換テーブルから決定することを特徴とする請求項４に記載の電気錠制御システム。
【請求項６】
前記表示器は、複数方向の各視野角範囲に、それぞれ異なる画像を同時期に表示可能な多画面表示装置であり、
前記表示制御部は、複数の前記分割情報コードを、複数方向の前記各視野角範囲に同時期に表示することを特徴とする請求項１〜５のいずれか一項に記載の電気錠制御システム。
【発明の詳細な説明】
【技術分野】
【０００１】
本発明は、電気錠制御システムに関するものである。
【背景技術】
【０００２】
従来、携帯端末の表示器に表示された情報コードを読取装置で読み取り、当該情報コードの照合結果に基づいて電気錠を開錠する技術が知られている。例えば、このような技術としては、下記特許文献１、２のようなものが提供されている。
【０００３】
特許文献１の電気錠制御システムでは、まず、電気錠（５）を解錠する際に、携帯電話機（１０）の表示器（１１）に、解錠管理データが記憶された２次元コードを表示させる。そして、この２次元コードを出入口端末（１）（読取装置）の認識用カメラ（２）に読み取らせてその読取データを照合し、その照合結果に基づいて電気錠（５）のための解錠信号を出力するようになっている。
【０００４】
また、特許文献２には、携帯電話機（１０）と、この携帯電話機（１０）の表示器（１３）に表示された二次元コード（Ｑ）を読み取る読取装置（２０）とを備えた電気錠制御システムが開示されている。この二次元コード（Ｑ）は、認証情報と、識別基準情報に基づいて設定される誤りパターンとに基づいて携帯電話機（１０）にて生成されるようになっている。そして、読取装置（２０）は、表示器（１３）に表示される二次元コードＱを、誤り訂正を行いつつ読み取り、認証情報の適否判断及び誤り訂正位置の適否判断に基づいて、読み取った二次元コード（Ｑ）の真偽を判定し、この真偽判定結果に基づいて、電気錠（６２）の開錠を制御している。
【先行技術文献】
【特許文献】
【０００５】
【特許文献１】特開２００４−２３８９６５号公報
【特許文献２】特開２００９−４１３２１号公報
【発明の概要】
【発明が解決しようとする課題】
【０００６】
しかしながら、特許文献１のシステムでは、電気錠の解錠の際に認証に用いられる解錠管理データが記憶された二次元コードが一意に決められており、この特定の二次元コードが使用され続けることで、何らかの手段を用いて複製されてしまうと（例えば、盗撮カメラなどによってこの二次元コードが盗撮されて複製されるなど）、悪用を防ぎにくいという問題があった。
【０００７】
一方、特許文献２のシステムでは、認証情報（解錠管理データ）だけでなく、識別情報の変更に応じて変更される誤り訂正位置の適否判断も考慮して二次元コードの認証が行われるため、よりセキュリティ性を高めることができる。しかしながら、特許文献２では、二次元コードの誤り訂正機能を使用するが故、携帯電話機（１０）の表示器（１３）の汚れなどによっては、正規の二次元コードであっても読み取りが正しく行われない虞があった。
【０００８】
本発明は、上述した課題を解決するためになされたものであり、携帯端末の表示器に表示された情報コードを読み取り、当該情報コードの照合結果に基づいて電気錠を制御するシステムにおいて、情報コードの読取精度を低下させることなく、複製による悪用を効果的に防止することが可能な構成を提供することを目的とする。
【課題を解決するための手段】
【０００９】
本発明は、情報コードを表示可能な表示器を備えた携帯端末と、前記携帯端末で表示された前記情報コードを読取可能な読取システムと、を備えた電気錠制御システムであって、前記携帯端末は、認証情報を記憶又は生成する認証情報準備部と、前記認証情報準備部で準備された前記認証情報を記録してなる前記情報コードを複数の分割情報コードに分割するための分割方式を特定する分割方式特定情報を登録する分割方式登録部と、前記情報コードを前記分割方式登録部の前記分割方式特定情報に基づいて分割し、複数の前記分割情報コードを生成する分割情報コード生成部と、複数の分割情報コードを前記表示器に表示する表示制御部と、を備え、前記読取システムは、前記携帯端末の前記表示器で表示された複数の前記分割情報コードを撮像することで複数の前記分割情報コードの各コード画像を生成する１又は複数の撮像部と、複数の前記分割情報コードを合成するための合成方式を特定する合成方式特定情報を登録する合成方式登録部と、１又は複数の前記撮像部によって撮像された複数の前記分割情報コードを、前記合成方式登録部に登録された前記合成方式特定情報に基づいて合成し、前記情報コードを生成する分割情報コード合成部と、前記分割情報コード合成部によって複数の前記分割情報コードが合成されることで生成された前記情報コードを読み取る読取部と、前記読取部による前記情報コードの読み取り結果が、所定の正規条件を満たす場合に前記電気錠を解錠状態とする電気錠制御部と、を備えたことを特徴とする。
【発明の効果】
【００１０】
請求項１の電気錠制御システムでは、情報コードを表示可能な表示器を備えた携帯端末と、携帯端末で表示された情報コードを読取可能な読取システムを備えている。そして、この携帯端末では、認証情報を記録した情報コードを、分割方式特定情報に基づいて分割し、複数の分割情報コードを生成し、これら複数の分割情報コードを表示器に表示するようにしている。また、読取システムでは、これら複数の分割情報コードを撮像するとともに、合成方式特定情報に基づいて合成し、情報コードを生成し、この情報コードを読み取るようにしている。そして、この合成した情報コードの読み取り結果が所定の正規条件を満たす場合に、電気錠を解錠状態とするようにしている。
このように、携帯端末側では、認証情報が記録された情報コードを複数の分割情報コードに分割して表示器に表示し、読取システム側では、それら複数の分割情報コードを合成するとともに、合成した情報コードの読み取り結果に基づき電気錠を解錠状態とするようにしている。このため、携帯端末の表示器に表示された分割情報コードが複製されたとしても、その分割情報コード単体では、電気錠を解錠することができないため、複製による悪用を効果的に防止することができる。また、表示器に表示される分割情報コードには、特殊な機能を持たせる必要もないため（誤り訂正機能などを認証に用いる構成ではないため）、当該情報コードの読取精度の低下を抑えることができる。
【００１１】
請求項２の発明では、生成側変換テーブルに基づいて、情報コードの各種類のセルをいずれの種類のセルに変換するかを定め、また合成側変換テーブルに基づいて、生成側変換テーブルによって特定される情報コードの各種類のセルと、複数の分割情報コードのそれぞれで選択されるセル種類の組み合わせとの対応関係を特定するようにしている。このように、生成側変換テーブルと合成側変換テーブルを用いることで、情報コードの分割と合成を複雑な処理を必要とせず、比較的簡易に行うことができる。
【００１２】
請求項３の発明では、分割方式登録部には、複数の生成側変換テーブルが登録されており、また、合成方式登録部には、複数の合成側変換テーブルが登録されている。そして、複数の生成側変換テーブルから選択された特定の生成側変換テーブルと対応する特定の合成側変換テーブルを、複数の合成側変換テーブルから決定し、それら特定の生成側変換テーブルと合成側変換テーブルを用いて、情報コードの分割と合成を行うようにしている。このように、複数の生成側変換テーブルから選択された特定の生成側変換テーブルと対応する特定の合成側変換テーブルを複数の合成側変換テーブルから選び出す必要があるため、不正に情報コードが複製されることをより防止することができる。
【００１３】
請求項４の発明では、携帯端末は、所定の配列で配置された複数の入力キーから構成され、特定情報を入力可能な入力手段と、複数の入力キーから入力される入力信号をプッシュ音信号に変換するプッシュ音信号変換手段を備えている。そして、複数の生成側変換テーブル選択された生成側変換テーブルを特定する特定情報を、プッシュ音信号に変換して読取システム側へ出力するようにしている。この構成では、分割情報コードを合成するために、特定情報を携帯端末の利用者側で入力し、さらに、その特定情報をプッシュ音信号により読取システム側へ出力する必要があるため、よりセキュリティ性を高めることができる。
【００１４】
請求項５の発明では、携帯端末の利用者側で入力される特定情報をプッシュ音信号に変換して読取システム側へ出力するとともに、複数の入力キーから入力される入力信号とプッシュ音信号とを対応付ける音テーブルが定期的に（日時情報に基づいて）変更されるようになっているので、仮にプッシュ音信号が録音されるなどして複製されても、悪用されることを効果的に防止できる。
【００１５】
請求項６の発明では、表示器が、複数方向の各視野角範囲に、それぞれ異なる画像を同時期に表示可能な多画面表示装置で構成されており、表示制御部は、複数の分割情報コードを、複数方向の各視野角範囲に同時期に表示するようにしているので、これら複数の分割情報コード全てを盗撮カメラなどで盗撮して複製することが極めて困難となり、複製による悪用をより効果的に防止することができる。
【図面の簡単な説明】
【００１６】
【図１】図１は、本発明の第１実施形態に係る電気錠制御システムを概略的に例示する説明図である。
【図２】図２は、図１の電気錠制御システムに用いられる携帯端末を概略的に例示するブロック図である。
【図３】図３は、図１の電気錠制御システムに用いられる読取システム及び施錠装置を概略的に例示するブロック図である。
【図４】図４は、携帯端末の表示装置と読取装置のカメラの配置を説明する説明図である。
【図５】図５は、第１実施形態に係る電気錠制御システムに用いられる携帯端末側で行われる分割情報コード表示処理の流れを例示するフローチャートである。
【図６】図６は、第１実施形態に係る電気錠制御システムに用いられる携帯端末側で行われるコードワードの分離処理の流れを例示するフローチャートである。
【図７】図７は、第１実施形態に係る電気錠制御システムで行われる電気錠解錠処理の流れを例示するフローチャートである。
【図８】図８は、第１実施形態に係る電気錠制御システムで行われるセル情報合成処理の流れを例示するフローチャートである。
【図９】図９（Ａ）は、生成側変換テーブルの一例を説明する図であり、図９（Ｂ）は、合成側変換テーブルの一例を説明する図である。
【図１０】図１０は、生成側変換テーブルの構成を説明する図である。
【図１１】図１１は、分割情報コードから情報コードを合成する様子を説明する図である。
【図１２】図１２は、情報コードの構成例を説明する図である。
【図１３】図１３は、音テーブルの構成を説明する図である。
【発明を実施するための形態】
【００１７】
[第１実施形態]
以下、本発明の第１実施形態について、図面を参照して説明する。
図１に示す電気錠システム１は、携帯端末１０と読取装置２０とを備えた真偽判定システム５０と、施錠装置６０とを備えている。
【００１８】
真偽判定システム５０は、真偽判定の対象となる二次元コードＱを表示させる表示装置１３を備えた携帯端末１０と、表示装置１３に表示された二次元コードＱを読み取る読取装置２０と、を備え、携帯端末１０の表示装置１３に認証情報が記録された二次元コードＱを表示させ、読取装置２０側において、読み取った二次元コードＱの真偽を判定するシステムとして構成されている。真偽判定システム５０は、電気錠制御システム１の一部を構成するものであり、この真偽判定システム５０と施錠装置６０とを備える形で電気錠制御システム１が構成されている。
【００１９】
携帯端末１０は、ハードウェア構成は公知の携帯電話機や公知のスマートフォン、或いは公知の携帯型情報コードリーダ等と同様の構成をなしている。なお、時計機能を有しかつ二次元コードを生成しうる構成であれば公知の様々な携帯型情報処理端末を採用できる。例えば、後述する構成とは異なる構成の携帯端末を採用してもよく、タブレット式の端末などを採用してもよい。
【００２０】
図２は、その主要部を概略的に例示しており、制御回路１１と、撮像装置１２、表示装置１３、操作部１４、メモリ１５、時計部１６、発音部１７などによって携帯端末１０が構成されている。
【００２１】
制御回路１１は、ＣＰＵ，ＲＯＭ及びＲＡＭを含むマイクロコンピュータ等から構成されたもので、後述する二次元コード生成処理や、電話の発着信処理、電子メールの作成送受信処理、インターネット処理などを行うものである。撮像装置１２は、ＣＣＤカメラやＣＭＯＳカメラ等の公知のカメラによって構成されている。
【００２２】
表示装置１３は、図４に示すように、複数方向（図４では３方向）の各視野角範囲に、それぞれ異なる画像を同時期に表示可能な公知の多画面表示装置として構成されている。表示装置１３は、具体的に、複数の画素のうち交互に位置する複数の画素で構成される複数の画素群毎に、異なる画像を表示可能とする表示素子本体（図示略）と、表示素子本体の画素に対向する側に形成され、この表示素子本体の各画素群で表示する画像を視差により分離して表示させる複数層の視差バリア層（図示略）を備えて構成されている。多画面表示装置の構成としては、例えば、特開２００８−８９３４公報、特開２００８−１６４７０２公報、特開２０１２−１３３０１１公報などに開示された技術を好適に用いることができる。また、見る方向によって表示内容が変化し得る周知の表示装置（例えば、表示画面に対して垂直方向に見た内容と、斜め左側から見た内容と、斜め右側から見た内容とをそれぞれ異ならることが可能な表示装置）であればこれら技術以外の他の構成を用いてもよい。
【００２３】
また、操作部１４は、外部操作可能な部分を総称しており、十字キー、電源キー、ファンクションキー、オンフックキー（開始キー）、クリアキー、及び所定の配列で配置された文字・数字キー（テンキー）等の入力キーから構成されている。なお、操作部１４は、特定情報を入力可能な「入力手段」の一例に相当する。
【００２４】
メモリ１５は、ＲＯＭ，ＲＡＭ、不揮発性メモリ、ハードディスクドライブなどの記憶手段によって構成されている。そして、このメモリ１５には、情報コードを複数の分割情報コードに分割するための分割方式を特定するための生成側変換テーブル（分割方式特定情報）が複数登録されている。時計部１６は、年月日時分を特定可能な公知の電波時計によって構成されている。なお、分割方式特定情報を登録するメモリ１５は、「分割方式登録部」の一例に相当する。
【００２５】
発音部１７は、公知のスピーカを備え構成されており、各ボタンに対応する音を発するように構成されている。具体的には、「１」のボタンが押されたときに、第１の音階の音が鳴らされ、「２」のボタンが押されたときに、第２の音階の音が鳴らされ、「３」のボタンが押されたときに、第３の音階の音が鳴らされるといったように、各ボタンに固有の音が対応付けられている。
【００２６】
なお、携帯端末１０は、図２に示す要素以外の要素（例えば、送受信アンテナを通して電波を媒体として基地局に対して送受信する無線部や、マイク、二次電池等）も設けられているが、図示は省略している。
【００２７】
図３に示すように、読取装置２０は、制御部２１、カメラ２２、操作部２３、表示部２４、記憶部２５、通信部２６、時計部２７、マイク２８などを備えている。
【００２８】
制御部２１は、ＣＰＵなどによって構成され、読取装置２０全体を制御可能な情報処理部として機能している。この制御部２１は、上述のカメラ２２、操作部２３、表示部２４、記憶部２５、通信部２６、時計部２７などが接続されている。
【００２９】
カメラ２２は、図１に示すように、第１カメラ２２ａ、第２カメラ２２ｂ、第３カメラ２２ｃを備えてなり、各カメラ２２ａ〜２２ｃは、Ｃ−ＭＯＳエリアセンサ、ＣＣＤエリアセンサ等の受光センサを備えて構成されている。そして、各カメラ２２ａ〜２２ｃは、図４に示すように、携帯端末１０の表示装置１３の表示面に対して、それぞれ異なる角度で配置されている（表示面を囲むように配置されている）。具体的には、各カメラ２２ａ〜２２ｃは、表示装置１３の複数方向（図４では、３方向）の各視野角範囲にそれぞれ対応して配置されており、表示装置１３に同時期に表示される複数の異なる画像（本構成では、例えば３つの画像）をこれらカメラ２２ａ〜２２ｃで同時期に撮像可能になっている。なお、カメラの数は特に限定されず、表示装置１３に同時期に表示される画像の数等に合わせて適宜変更することができる。なお、カメラ２２は、「撮像部」の一例に相当する。
【００３０】
操作部２３は、操作ボタン等によって構成されており、利用者による入力操作が可能な構成となっている。表示部２４は、公知の液晶表示器やＬＥＤ等のランプなどによって構成されており、各種表示を行い得るものである。記憶部２５は、例えばＲＡＭ、ＲＯＭ、不揮発性メモリなどの半導体メモリやその他の記憶デバイス等によって構成されている。そして、この記憶部２５には、複数の分割情報コードを合成するための合成方式を特定する合成側変換テーブル（合成方式特定情報）が複数登録されている。なお、記憶部２５は、「合成方式登録部」の一例に相当する。
【００３１】
また、時計部２７は、公知の電波時計によって構成されており、年月日時分の情報を発生し、制御回路４０に与える構成をなしている。なお、読取装置２０は、例えば図示しない商用電源等から電力供給を受ける構成となっている。
【００３２】
施錠装置６０は、電気的信号に応じた施錠及び開錠が可能な電気錠６２と、この電気錠６２を制御する制御部６１とを備えた公知の電気錠装置として構成されており、読取装置２０の制御回路４０とインタフェース４８を介して接続されている。電気錠６２は、たとえばデッドボルトを有し、モータやソレノイドなどのアクチュエータによってデッドボルトを進退させることによって対象物の施解錠を行うものなどを採用することができる。この構成の場合、制御部６１は、モータやソレノイドなどのアクチュエータを駆動する駆動回路によって構成され、制御回路４０からの電気的信号（制御信号）に応じて電気錠６２を開錠状態又は施錠状態に変化させるように機能する。なお、ここでは施錠装置の一例を挙げたが、制御回路４０からの制御信号に応じて開錠状態又は施錠状態に変化しうる構成であれば公知の様々な電気錠装置を採用できる。
【００３３】
（分割情報コード表示処理）
次に、上述のように構成される電気錠制御システム１の携帯端末１０にて行われる分割情報コード表示処理について、図５及び図６のフローチャートを用いて説明する。
まず、ステップＳ１では、携帯端末１０にて認証情報の取得がなされる。認証情報は、例えば、暗証番号やパスワードなどから構成されており、携帯端末１０の使用者などによって、操作部１４からメモリ１５へ書き込むようにしてもよく、携帯端末１０の制御回路１１で生成するようにしてもよい。このように、認証情報を記憶又は生成する制御回路１１及びメモリ１５は、「認証情報準備部」の一例に相当する。
【００３４】
このように、携帯端末１０にて認証情報の取得がなされると、続くステップＳ２にて、このメモリ１５に記憶される認証情報をコード化した情報コードを生成する。なお、本実施形態では、情報コードの一例として、ＱＲコード（登録商標）を例に挙げて説明する。また、情報コードは、例えば、特開２００９−９５４７公報、特開平１１−３２８３０１公報などに開示された技術を好適に用いて生成することができる。
【００３５】
そして、このように生成された情報コードを、続くステップＳ３にて、複数の分割情報コードに分割する。なお、ここでは、図１１に示す情報コードＣ０を分割して、３つの分割情報コードＣ１〜Ｃ３を生成する例を挙げて説明する。
【００３６】
ここで、ＱＲコードは、複数種類のセルがマトリックス状に配列されて構成されている。具体的に、例えば、図１２に示すＱＲコードの例では、１辺が２１セル（モジュール）の正方形状に構成されており、三隅に設けられている位置検出パターンや形式情報（図１２に示す斜線部分）、タイミングパターンを除いたコード領域に、８個のセルを４行２列に配置して構成されるデータブロックが２６ブロック（Ａ０〜Ａ２５）配置されており、この８個のセルを情報の一単位（コードワード）としている。なお、本実施形態では、図１２に示すように、２６ブロックのデータブロックから構成されたＱＲコードを例に挙げて説明する。
【００３７】
ステップＳ３では、ステップＳ２にて生成された情報コードを、このコードワード毎に分割（分離）し、複数の分割情報コードを生成する。このコードワードＸの分離処理は、例えば図６のような流れで行われ、まず、コードワードＸの生成側変換テーブル（以下単に、「生成テーブル」ともいう）を取得する（ステップＳ１１）。本分離処理では、情報コードの各種類のセルを、複数の分割情報コードのそれぞれにおいて、いずれの種類のセルに変換するかを定める生成側変換テーブル（図１０参照）に基づき、情報コードにおける各位置のセルの種類から、複数の分割コードにおける各位置に対応する対応位置のセルの種類を特定するように、複数の分割コードを生成するようにしている。
【００３８】
そして、メモリ１５には、図１０に示すような生成側変換テーブルが複数記憶されており（図１０の「生成テーブル１」は一例であり、図９（Ａ）に示すように、各セルの白黒パターンを変えた複数のテーブル（「生成テーブル２」、「生成テーブル３」・・・）がメモリ１５に記憶されている）、制御回路１１によって、複数の生成側変換テーブルのうちから、いずれかの生成側変換テーブルが選択される。選択される生成側変換テーブルは、分割情報コードを生成する毎に変更するように設定されていてもよく、定期的に（例えば、毎日）変更するように設定されていてもよい。そして、選択された生成側変換テーブルを特定する特定情報（例えば、「生成テーブル１」が選択された場合には、この「生成テーブル１」を特定する情報）を読取システム側へ出力する（詳細は後述）。なお、制御回路１１は、「選択手段」の一例に相当する。なお、Ｓ１１で取得された生成テーブルは、分離処理を行うべき全てのコードワードで共通に用いることができる。
【００３９】
次に、ステップＳ１２にて、制御回路１１にて乱数Ｙを発生させるとともに、発生させた乱数Ｙに基づき、各分割情報コードＣ１〜Ｃ３のコードワード毎の各セルの白黒パターンを決定する。発生する乱数Ｙは、「０」、「１」、「２」、「３」のいずれかであり、情報コードの各セルに乱数Ｙのいずれかが割り当てられるようになっている。なお、乱数は、例えば、特開２０１０−１１４９７５公報などに開示された技術を好適に用いて発生させることができる。また、乱数の発生はこの技術に限らず、上述の特定の数字（「０」、「１」、「２」、「３」）を発生可能な方式であれば他の周知技術であってもよい。
【００４０】
例えば、図１０に示す「生成テーブル１」が生成側変換テーブルとして選択されており、ステップＳ２にて生成された情報コードが図１１に示す情報コードＣ０であった場合、Ａ０のブロックのセルＡ００には「１」、Ａ０１には「３」、Ａ０２には「２」、Ａ０３には「０」、Ａ０４には「２」、Ａ０５には「３」、Ａ０６には「０」、Ａ０７には「１」という具合に、「０」、「１」、「２」、「３」のいずれかの数がランダムに割り当てられる。
【００４１】
次に、ステップＳ１３で、各セルが白か否かが判定される。本構成では、図６の処理で着目しているコードワードＸの全セルに対してＳ１２〜Ｓ１７の処理が行われるようになっており、当該コードワードＸを構成するセル毎にＳ１２〜Ｓ１７の処理が繰り返される。従って、Ｓ１３の処理では図６の処理で着目しているコードワードＸのいずれかのセル（現在の着目セル）の色を判別することになる。そして、Ｓ１３の処理で現在着目しているセルが白であった場合には（ステップＳ１３でＹｅｓ）、取得した乱数Ｙに対応する白セル分離Ｔｂｌ番号のテーブル番号を選択し（ステップＳ１４）、その選択されたテーブル番号のテーブル内容に基づき分離情報コードＣ１〜Ｃ３における対応セル（分離情報コードＣ１〜Ｃ３において、情報コードＣ０におけるＳ１３で色判別を行ったセルと同位置に配置されるべきセル）の白黒パターンを選択する（ステップＳ１５）。一方、当該Ｓ１３の処理で現在着目しているセルが黒であった場合は（ステップＳ１３でＮｏ）、取得した乱数Ｙに対応する黒セル分離Ｔｂｌ番号のテーブル番号を選択し（ステップＳ１８）、その選択されたテーブル番号のテーブル内容に基づき分離情報コードＣ１〜Ｃ３における対応セル（分離情報コードＣ１〜Ｃ３において、情報コードＣ０におけるＳ１３で色判別を行ったセルと同位置に配置されるべきセル）の白黒パターンを選択する（ステップＳ１５）。そして、Ｓ１４又はＳ１８で決定された色に基づいて、各分離情報コードＣ１〜Ｃ３において、Ｓ１３で色判別を行ったセルに対応する位置のセルを作成する。このようなＳ１２〜Ｓ１６の処理を、着目しているコードワードＸの全セルに対して行うことで、これら全てのセルについて分離パターンを取得し（ステップＳ１５）、分離セルを作成する（ステップＳ１６）。例えば、Ｓ１２〜Ｓ１６で着目するセルが情報コードＣ０のＡ００であり、Ｓ１２の処理で、このＡ００のセルに対して乱数「１」が割り当てられた場合、このＡ００のセルに記録する値が「１」である場合には、Ａ００のセルの色は「黒」であるため、Ｓ１３ではＮｏに進むことになる。そして、Ｓ１２の処理によりこのＡ００のセルに対して乱数「１」が選択された場合、生成テーブル１から、「黒」のセルにおける分離テーブル番号「１」が選択され、分割情報コードＣ１のＡ００のセルには「黒」のパターン、分割情報コードＣ２のＡ００のセルには「白」のパターン、分割情報コードＣ３のＡ００のセルには「黒」のパターンがそれぞれ選択される。
【００４２】
このように、着目しているコードワードＸの各セルについてＳ１２〜Ｓ１６の処理が行われ、Ｓ１２〜Ｓ１６の処理が行われる毎に、続くステップＳ１７にて、コードワードＸの全セルの処理が完了したか否かが判定される。ここで、例えば、着目しているコードワードＸが図１２に示すＡ０であり、このＡ０の全てセル（Ａ００〜Ａ０７）について、分離セルの作成が完了していない場合はＮｏと判定され、ステップＳ１２からの処理が繰り返される。一方、Ａ０の全てセル（Ａ００〜Ａ０７）について、分離セルの作成が完了している場合にはＹｅｓと判定され、当該Ａ０のコードワードに対する図６の処理が終了する。図６のようなコードワードＸの分離処理は、情報コードＣ０を構成する全てのコードワードに対して行われ、例えば情報コードＣ０が図１２のような構成の場合、Ａ０〜Ａ２５の全てのコードワードに対して図６の処理が行われることになる。従って、Ａ０のコードワードに対する図６の処理が終了した場合、Ａ０のコードワードと同様に、Ａ１のコードワードの全セル（Ａ１１〜Ａ１７）に対して図６の分離処理が行われる。このようにして、Ａ０〜Ａ２５の全コードワードに対して図６のコードワード分離処理が終了すると、これら分離された分離セルに基づき、分割情報コードＣ１〜Ｃ３が生成される（図１１参照）。なお、図１１では、分割元の情報コードＣ０の具体的セル構成及び分割情報コードＣ１〜Ｃ３の具体的セル構成は省略して示している。本構成では、情報コードＣ０を生成側変換テーブルに基づいて分割し、複数の分割情報コードＣ１〜Ｃ３を生成する制御回路１１が「分割情報コード生成部」の一例に相当する。
【００４３】
そして、このように生成された分割情報コードＣ１〜Ｃ３を、ステップＳ４にて、表示装置１３に表示する。表示装置１３は、上述したように、複数方向の各視野角範囲（例えば３方向の各視野角範囲）に、それぞれ異なる画像を同時期に表示可能な多画面表示装置として構成されており、このステップＳ４では、分割情報コードＣ１〜Ｃ３を、表示装置１３の表示エリアＡＲに同時期に表示するようにしている。具体的には、表示エリアＡＲに分割情報コードＣ１〜Ｃ３を重なるように配置し、それぞれ異なる方向から観測したときに、分割情報コードＣ１〜Ｃ３のうちの一つが観測できるように表示される。例えば、表示装置１３の表示面に対して垂直方向に見た場合に、分割情報コードＣ２が表示され、表示装置１３の表示面に対して斜め左側から見た場合に分割情報コードＣ１が表示され、表示装置１３の表示面に対して斜め右側から見た場合に分割情報コードＣ３が表示されるようになっている。なお、図１の例では、携帯端末１０の厚さ方向及び長手方向と直交する方向を左右方向（幅方向）としている。また、分割情報コードＣ１〜Ｃ３を同時期に表示させる制御回路１１は、「表示制御部」の一例に相当する。
【００４４】
（電気錠解錠処理）
次に、電気錠制御システム１にて行われる電気錠解錠処理について、図７及び図８のフローチャートを用いて説明する。当該電気錠解錠処理では、携帯端末１０の表示装置１３で表示された分割情報コードＣ１〜Ｃ３を読取装置２０側で合成して読み取り、この読み取り結果に基づき施錠装置６０の電気錠６２を解錠状態とするようにしている。
【００４５】
まず、ステップＳ２１にて、読取装置２０のカメラ２２ａ〜２２ｃで、分割情報コードＣ１〜Ｃ３を撮像する。表示装置１３には、分割情報コードＣ１〜Ｃ３が同時期に表示エリアＡＲに表示されており、これら分割情報コードＣ１〜Ｃ３をカメラ２２ａ〜２２ｃで同時期に撮像する。なお、図４のようにカメラ２２ａ〜２２ｃの視野範囲の向き（カメラ２２ａ〜２２ｃの視野の中心（光軸）の向き）はそれぞれ異なっており、カメラ２２ａの視野範囲の中心（光軸）は、カメラ２２ｂの視野範囲の中心（光軸）に対して所定角度で傾斜している。また、カメラ２２ｃの視野範囲の中心（光軸）は、カメラ２２ｂの視野範囲の中心（光軸）に対して所定角度で傾斜している。また、カメラ２２ａ〜２２ｃは所定方向に並んでおり、カメラ２２ａ〜２２ｃの並び方向と平行であり且つカメラ２２ｂの視野範囲の中心（光軸）と平行な方向を水平方向とした場合、カメラ２２ａの視野範囲の中心（光軸）は水平方向と平行となっている。また、カメラ２２ｃの視野範囲の中心（光軸）も水平方向と平行となっている。このように構成されているため、図４のようにカメラ２２ｂの視野範囲の中心（光軸）が表示装置１３の表示画面と直交するように配置され、表示装置１３が各カメラにある程度近い位置に配置された場合に、カメラ２２ａでは分割情報コードＣ１が撮像され、カメラ２２ｂでは分割情報コードＣ２が撮像され、カメラ２２ｃでは分割情報コードＣ３が撮像されることになる。そして、ステップＳ２２では、このように撮像したコード画像からそれぞれの分割情報コードＣ１〜Ｃ３のセル情報を取得する。そして、分割情報コードＣ１〜Ｃ３全ての画像を取得したか否かの判定が行われる（ステップＳ２３）。ここで、Ｎｏと判定されると、分割情報コードＣ１〜Ｃ３全ての画像を取得するまで、ステップＳ２１からの処理が繰り返される。
【００４６】
一方、ステップＳ２３でＹｅｓと判定された場合には、続くステップＳ２４にて、取得した分割情報コードＣ１〜Ｃ３のセル情報に基づき、フォーマット情報が一致するか否かの判定がなされる。なお、分割情報コードＣ１〜Ｃ３は、各コードワードのセル内容については上述の分離方式によって異ならせているが、位置検出パターン（切り出しシンボル）、タイミングパターン、アライメントパターンなどの特定パターン（固定パターン）は、分離元の情報コードＣ０と同一の内容となっており、フォーマット情報についても分離元の情報コードＣ０と同一の内容となっている。従って、分割情報コードＣ１〜Ｃ３の各フォーマット情報が互いに一致していなければ、これら分割情報コードＣ１〜Ｃ３を合成することができないため、当該電気錠解錠処理を終了する（ステップＳ２４でＮｏ）。一方、フォーマット情報が一致し、ステップＳ２４でＹｅｓと判定されると、続くステップＳ２５にてプッシュ音を取得する。
【００４７】
ここで、携帯端末１０は、選択された生成側変換テーブルを特定する特定情報を操作部１４から入力可能になっており、この操作部１４にて入力された入力信号が制御回路１１にてブッシュ音信号に変換されて、発音部１７から出力されるようになっている。なお、このような操作部１４での入力は、上述の生成処理（図５）の際に行うようにしてもよく、生成処理（図５）の後に別途行うようにしてもよい。例えば、上述の生成処理（図５）のＳ３において生成テーブルを決定する際にユーザに入力を促すようにしてもよい。そして、例えば、「生成テーブル１」には「０００１」、「生成テーブル２」には「０００２」、「生成テーブル３」には「０００３」というように、対応番号が割り振られており（この対応番号はランダムな数字であってもよい）、この対応番号に対応する番号を使用者が数字キーにより入力することで、Ｓ３の処理では入力された数字に対応する生成テーブルが用いられるようにしてもよい。この場合、この入力信号がプッシュ音信号に変換されて、発音部１７から読取装置２０側へ出力される。発音部１７でのプッシュ音の出力は、Ｓ３の生成時に発するようにしてもよく、Ｓ３の生成後（例えばＳ４の表示時）の所定タイミングで一回又は定期的に発するようにしてもよい。また、生成処理（図５）の際にユーザが入力しない方式の場合でも、Ｓ４の表示時にＳ３で選択された生成テーブルの番号に対応するプッシュ音を所定タイミングで一回又は定期的に発するようにしてもよい。
【００４８】
なお、選択された生成側変換テーブルを特定する特定情報を読取装置２０側へ出力する発音部１７は、「特定情報出力手段」の一例に相当する。また、発音部１７により出力された特定情報を取得するマイク２８及び制御部２１は、「特定情報取得手段」の一例に相当する。操作部１４から入力される入力信号をプッシュ音信号に変換する制御回路１１は、「プッシュ音信号変換手段」の一例に相当する。
【００４９】
ここで、記憶部２５には、生成側変換テーブルによって特定される、情報コードの各種類のセルと、複数の分割情報コードのそれぞれで選択されるセル種類の組み合わせとの対応関係を特定する合成側変換テーブル（以下、単に「合成テーブル」ともいう）が合成方式特定情報として登録されている。例えば、図９（Ｂ）に示すように、複数の合成側変換テーブル（「合成テーブル１」、「合成テーブル２」、「合成テーブル３」・・・）が読取装置２０の記憶部２５に登録されている。そして、「生成テーブル１」に基づいて生成された分割情報コードは、「合成テーブル１」に基づいて合成することができるようになっている。例えば、ステップＳ２５にて取得したプッシュ音が「０００１」であった場合には、「生成テーブル１」と対応する「合成テーブル１」を複数の合成テーブルの中から決定する（ステップＳ２６）。そして、この決定された「合成テーブル１」に基づき、Ｓ２１で取得された分割情報コードＣ１〜Ｃ３を合成する（ステップＳ２７）。なお、生成側変換テーブルと対応する合成側変換テーブルを、記憶部２５に登録された複数の合成側変換テーブルから決定する制御部２１は、「決定手段」の一例に相当する。
【００５０】
この合成処理では、まず、ステップＳ３１にて決定された「合成テーブル１」を記憶部２５から取得する。本合成処理では、決定された合成側変換テーブルに基づいて分割情報コードＣ１〜Ｃ３を合成し、情報コードを生成する。なお、合成側変換テーブルは、図１０に示した生成側変換テーブルと同様に構成されており、この図１０に示すテーブルが記憶部２５に複数記憶されている（図１０では、「合成テーブル１」を示している）。そして、「合成テーブル１」に基づき、各分割情報コードＣ１〜Ｃ３のコードワード毎に、生成する情報コードの各セルの白黒パターンを決定する。例えば、各分割情報コードＣ１〜Ｃ３のセルＡ００の白黒パターンは順に、「黒」、「白」、「黒」であり（図１１参照）、これと対応する白黒パターンは「合成テーブル１」から「黒」となるため、合成する情報コードのセルＡ００の白黒パターン（合成パターン）は、「黒」となる。このように、コードワード毎に、合成パターンを作成する。なお、制御部２１は、「分割情報コード合成部」の一例に相当する。
【００５１】
そして、続くステップＳ３３にて、全コードワードで合成パターンの作成が完了したか否かが判定される。ここで、全コードワードの合成パターンの作成が完了するまでは、Ｎｏとの判定が繰り返される。そして、全コードワードの合成パターンの作成が完了すると（ステップＳ２８）、この合成された情報コードに対して、ステップＳ２８にて、デコード処理がなされる。なお、分割情報コードＣ１〜Ｃ３が合成されることで生成された情報コードを読み取る制御部２１は、「読取部」の一例に相当する。
【００５２】
次に、ステップＳ２９にて、合成された情報コードの読み取り結果が、所定の正規条件を満たすか否かの判定がなされる。具体的には、記憶部２５には予め照合情報が記憶されており、合成された情報コードの情報（認証情報）がこの照合情報と一致するか否かを判定し、一致する場合にはＹｅｓと判定されて、続くステップＳ３０へ進む。一方、一致しない場合には、Ｎｏと判定されて当該解錠処理を終了する。
【００５３】
ステップＳ２９でＹｅｓと判定されると、続くステップＳ３０にて電気錠解錠処理が行われる（ステップＳ３０）。具体的には、制御部２１から制御部６１に対して電気錠６２の開錠を指示する制御信号が出力され、制御部６１はその制御信号に応じて電気錠６２を駆動し開錠する。このように、本実施形態では、合成された情報コードの情報（認証情報）が照合情報と一致する適切なものである場合に限って当該情報コードが「真」と判断され、電気錠６２の開錠が行われることとなる。一方、認証情報が照合情報と一致せず不適切である場合、合成された情報コードは「偽」と判断され、電気錠６２は施錠状態が維持される。合成された情報コードの読み取り結果が所定の正規条件を満たす場合に、電気錠を解錠状態とする制御部２１は、「電気錠制御部」の一例に相当する。
【００５４】
以上説明したように、本第１実施形態に係る電気錠制御システム１では、情報コードを表示可能な表示装置１３を備えた携帯端末１０と、携帯端末１０で表示された情報コードを読取可能な読取装置２０を備えている。そして、この携帯端末１０では、認証情報を記録した情報コードを、分割方式特定情報に基づいて分割し、複数の分割情報コードを生成し、これら複数の分割情報コードを表示装置１３にそれぞれ表示するようにしている。また、読取装置２０では、これら複数の分割情報コードを撮像するとともに、合成方式特定情報に基づいて合成し、情報コードを生成し、この情報コードを読み取るようにしている。そして、この合成した情報コードの読み取り結果が所定の正規条件を満たす場合に、電気錠を解錠状態とするようにしている。
このように、携帯端末１０側では、認証情報が記録された情報コードを複数の分割情報コードに分割して表示装置１３に表示し、読取装置２０側では、それら複数の分割情報コードを合成するとともに、合成した情報コードの読み取り結果に基づき電気錠を解錠状態とするようにしている。このため、携帯端末１０の表示装置１３に表示された分割情報コードが複製されたとしても、その分割情報コード単体では、電気錠を解錠することができないため、複製による悪用を効果的に防止することができる。また、表示装置１３に表示される分割情報コードには、特殊な機能を持たせる必要もないため（誤り訂正機能などを認証に用いる構成ではないため）、当該情報コードの読取精度の低下を抑えることができる。
【００５５】
また、生成側変換テーブルに基づいて、情報コードの各種類のセルをいずれの種類のセルに変換するかを定め、また合成側変換テーブルに基づいて、生成側変換テーブルによって特定される情報コードの各種類のセルと、複数の分割情報コードのそれぞれで選択されるセル種類の組み合わせとの対応関係を特定するようにしている。このように、生成側変換テーブルと合成側変換テーブルを用いることで、情報コードの分割と合成を複雑な処理を必要とせず、比較的簡易に行うことができる。
【００５６】
また、メモリ１５には、複数の生成側変換テーブルが登録されており、また、記憶部２５には、複数の合成側変換テーブルが登録されている。そして、複数の生成側変換テーブルから選択された特定の生成側変換テーブルと対応する特定の合成側変換テーブルを、複数の合成側変換テーブルから決定し、それら特定の生成側変換テーブルと合成側変換テーブルを用いて、情報コードの分割と合成を行うようにしている。このように、複数の生成側変換テーブルから選択された特定の生成側変換テーブルと対応する特定の合成側変換テーブルを複数の合成側変換テーブルから選び出す必要があるため、不正に情報コードが複製されることをより防止することができる。
【００５７】
また、携帯端末１０は、所定の配列で配置された複数の入力キーから構成され、特定情報を入力可能な操作部１４と、複数の入力キーから入力される入力信号をプッシュ音信号に変換するプッシュ音信号変換手段（制御部２１）を備えている。そして、複数の生成側変換テーブル選択された生成側変換テーブルを特定する特定情報を、プッシュ音信号に変換して読取装置２０側へ出力するようにしている。この構成では、分割情報コードを合成するために、特定情報を携帯端末１０の利用者側で入力し、さらに、その特定情報をプッシュ音信号により読取装置２０側へ出力する必要があるため、よりセキュリティ性を高めることができる。
【００５８】
また、表示装置１３が、複数方向の各視野角範囲に、それぞれ異なる画像を同時期に表示可能な多画面表示装置で構成されており、表示制御部（制御部２１）は、複数の分割情報コードを、複数方向の各視野角範囲に同時期に表示するようにしているので、これら複数の分割情報コード全てを盗撮カメラなどで盗撮して複製することが極めて困難となり、複製による悪用をより効果的に防止することができる。
【００５９】
［第１実施形態の変形例］
次に、本発明の第１実施形態における変形例に係る電気錠制御システム１について、図１３を用いて説明する。本発明の第１実施形態における変形例では、上記第１実施形態の構成に加え、さらに、操作部１４から入力される入力信号を、所定の音テーブルに基づき制御部２１にてプッシュ音信号に変換するとともに、この音テーブルを定期的に変更するようにしている。したがって、第１実施形態の電気錠制御システム１と実質的に同一の構成部分には、同一符号を付し、その説明を省略する。
【００６０】
本変形例では、携帯端末１０のメモリ１５には、さらに、複数の入力キーから入力される入力信号とプッシュ音信号とを対応付ける音テーブル（「音テーブル１」、「音テーブル２」、「音テーブル３」、・・・）が複数登録されている。そして、時計部１６において、西暦、年月日、時、分を特定しうる日時情報が発生しており、時計部１６にて発生する日時情報が制御回路１１によって取得されるようになっている。そして、この日時情報に基づいて、制御回路１１では音テーブルを変更するようにしている。具体的に、例えば、図１３に示すように、「音テーブル１」では、０時に、「０」のボタンが押されたときに「ド」の音階の音が鳴らされ、「１」のボタンが押されたときに「レ」の音階が鳴らされ、「２」のボタンが押されたときに「ミ」の音階の音が鳴らされるといったように対応付けられている。また、「音テーブル２」では、１時に、「０」のボタンが押されたときに「レ」の音階の音が鳴らされ、「１」のボタンが押されたときに「ミ」の音階が鳴らされ、「２」のボタンが押されたときに「ファ」の音階の音が鳴らされるといったように対応付けられている。そして、制御回路１１では、例えば、取得した日時情報が０時００分であった場合には「音テーブル１」に設定し、１時００分であった場合には「音テーブル２」に変更する。なお、音テーブルの変更は、分単位、日単位、月単位、年単位などで行うようにしてもよく、セキュリティレベル応じて適宜変更することができる。なお、メモリ１５は、「音テーブル登録部」の一例に相当する。また、日付情報及び時刻情報の少なくともいずれかを含んでなる日時情報を発生させる時計部１６は、「計時手段」の一例に相当する。さらに、制御回路１１は、「音テーブル変更手段」の一例に相当する。
【００６１】
そして、携帯端末１０では、例えば、０時に、「生成テーブル１」に基づいて分割情報コードＣ１〜Ｃ３が生成されたときに、「０００１」に対応するプッシュ音「ド」、「ド」、「ド」、「レ」の音が出力されるようになっている。また、１時に、「生成テーブル１」に基づいて分割情報コードＣ１〜Ｃ３が生成されたときに、「０００１」に対応するプッシュ音「レ」、「レ」、「レ」、「ミ」の音が出力されるようになっている。
【００６２】
また、読取装置２０の記憶部２５にも、図１３と同様の音テーブルが記憶されており、時計部２７で発生される日時情報に基づき、制御部２１では、音テーブルを特定するようになっている。そして、ステップＳ２５において、マイク２８によって、携帯端末１０側で発生されたプッシュ音信号を受信し、特定された音テーブルに基づき、選択された生成側変換テーブルと対応する合成側変換テーブルを、記憶部２５に登録された複数の合成側変換テーブルから決定するようにしている。具体的に、読取装置２０側では、０時に、「ド」、「ド」、「ド」、「レ」のプッシュ音信号を受信すると、図１３に示す「音テーブル１」からこのプッシュ音信号を入力信号「０」、「０」、「０」、「１」に変換し、「０００１」に対応する「合成テーブル１」を決定して、この「合成テーブル１」に基づき分割情報コードＣ１〜Ｃ３を合成し情報コードを生成するようになっている。なお、制御部２１は、「音テーブル特定手段」の一例に相当する。
【００６３】
このように、携帯端末１０の利用者側で入力される特定情報をプッシュ音信号に変換して読取装置２０側へ出力するとともに、複数の入力キーから入力される入力信号とプッシュ音信号とを対応付ける音テーブルが定期的に変更されるようになっているので、仮にプッシュ音信号が録音されるなどして複製されても、悪用されることを効果的に防止できる。
【００６４】
［他の実施形態］
本発明は上記記述及び図面によって説明した実施形態に限定されるものではなく、例えば次のような実施形態も本発明の技術的範囲に含まれる。
【００６５】
上記実施形態では、情報コード及び分割情報コードの一例として、ＱＲコードを例に挙げて説明したが、これに限定されず、例えば、データマトリックコードやマキシコード等の二次元コードであってもよい。
【００６６】
上記実施形態では、複数の分割情報コードを、同時期に携帯端末１０の表示装置１３に表示する構成を例示したが、これに限定されず、例えば、異なるタイミングで別々の時期に表示装置１３に表示するようにしてもよい。
【００６７】
上記実施形態では、携帯端末１０の表示装置１３で表示された複数の分割情報コードを、読取装置２０に設けられる複数のカメラ２２ａ〜２２ｃで同時期に撮像する構成を例示したが、これに限定されず、１つのカメラで別々の時期に撮像するようにしてもよい。
【００６８】
上記実施形態では、情報コードＣ０を分割して３つの分割情報コードＣ１〜Ｃ３を生成する例を挙げて説明したが、分割情報コードの数はこれに限らず、２つでもよく、４つ以上でもよい。
【００６９】
上記実施形態では、選択手段にて選択された生成側変換テーブルを特定する特定情報（生成テーブル番号）を読取システム側へ出力する特定情報出力手段として発音部を例示したがこの例に限られない。例えば無線ＬＡＮ通信、ＲＦＩＤ通信、赤外線通信などによって特定情報（生成テーブル番号）を読取システム側へ出力してもよい。この場合、読取システム側の特定情報取得手段は、このような情報を取得し得る通信部（無線ＬＡＮ通信、ＲＦＩＤ通信、赤外線通信等を行い得る通信インタフェース）によって構成すればよい。
【符号の説明】
【００７０】
１…電気錠制御システム
１０…携帯端末
１１…制御回路（認証情報準備部、分割情報コード生成部、表示制御部、選択手段）
１２…撮像装置
１３…表示装置（表示器）
１４…操作部（入力手段）
１５…メモリ（分割方式登録部）
１６…時計部
１７…発音部（特定情報出力手段）
２０…読取装置（読取システム）
２１…制御部（分割情報コード合成部、読取部、電気錠制御部、特定情報取得手段、決定手段、プッシュ音信号変換手段）
２２…カメラ（撮像部）
２２ａ…第１カメラ
２２ｂ…第２カメラ
２２ｃ…第３カメラ
２３…操作部
２４…表示部
２５…記憶部（合成方式登録部）
２６…通信部
２７…時計部
２８…マイク（特定情報取得手段）
５０…真偽判定システム
６０…施錠装置
６１…制御部
６２…電気錠
【図１】
2014202031.tif 000003
【図２】
2014202031.tif 000004
【図３】
2014202031.tif 000005
【図４】
2014202031.tif 000006
【図５】
2014202031.tif 000007
【図６】
2014202031.tif 000008
【図７】
2014202031.tif 000009
【図８】
2014202031.tif 000010
【図９】
2014202031.tif 000011
【図１０】
2014202031.tif 000012
【図１１】
2014202031.tif 000013
【図１２】
2014202031.tif 000014
【図１３】
2014202031.tif 000015